(57)【特許請求の範囲】
【請求項１】
記憶媒体に記憶された録画番組を再生する再生手段と、
番組表情報を管理する番組表管理手段と、
前記再生手段による録画番組の再生が停止すると、前記番組表情報から前記録画番組の関連番組の情報を検出する関連番組検出手段と、
前記関連番組の情報を含むメニュー項目を提示する操作支援画面を生成する操作支援画面生成手段と、
前記操作支援画面生成手段によって生成された操作支援画面を表示する支援画面表示手段と、
前記操作支援画面上で、前記関連番組の情報を含むメニュー項目が選択されると、前記関連番組を含む番組表を表示する番組表表示手段と、
を備え、
前記関連番組検出手段によって前記録画番組の関連番組が検出されない場合、前記操作支援画面生成手段は、前記録画番組の放送チャンネル、放送曜日、放送開始時刻の情報を含むメニュー項目を提示する操作支援画面を生成し、前記番組表表示手段は前記録画番組を含む番組表を表示する再生装置。
【請求項２】
前記番組表表示手段は、前記操作支援画面上で、前記メニュー項目が選択されると、前記録画番組の放送チャンネルの所定期間分の番組表を表示する請求項１に記載の再生装置。
【請求項３】
前記番組表表示手段は、前記録画番組の放送開始時刻を含む時間帯の番組表を表示する請求項２に記載の再生装置。
【請求項４】
記憶媒体に記憶された録画番組を再生する再生手段と、
番組表情報を管理する番組表管理手段と、
前記再生手段による録画番組の再生が停止すると、前記番組表情報から前記録画番組の関連番組の情報を検出する関連番組検出手段と、
前記関連番組の情報を含むメニュー項目を提示する操作支援画面を生成する操作支援画面生成手段と、
前記操作支援画面生成手段によって生成された操作支援画面を表示する支援画面表示手段と、
前記操作支援画面上で、前記関連番組の情報を含むメニュー項目が選択されると、前記関連番組を含む番組表を表示する番組表表示手段と、
を備え、
前記操作支援画面生成手段は、前記関連番組の放送チャンネル、放送日時、及び番組名の情報を含むメニュー項目を提示する操作支援画面を生成し、
前記操作支援画面生成手段は、前記関連番組検出手段によって複数の関連番組の情報が検出された場合に、所定の規則に従って一つの関連番組を選択し、当該選択された一つの関連番組の放送チャンネル、放送日時、及び番組名の情報を含むメニュー項目を提示する再生装置。
【請求項５】
記憶媒体に記憶された録画番組を再生する再生手段と、
番組表情報を管理する番組表管理手段と、
前記再生手段による録画番組の再生が停止すると、前記番組表情報から前記録画番組の関連番組の情報を検出する関連番組検出手段と、
前記関連番組の情報を含むメニュー項目を提示する操作支援画面を生成する操作支援画面生成手段と、
前記操作支援画面生成手段によって生成された操作支援画面を表示する支援画面表示手段と、
前記操作支援画面上で、前記関連番組の情報を含むメニュー項目が選択されると、前記関連番組を含む番組表を表示する番組表表示手段と、
を備え、
前記操作支援画面生成手段は、前記関連番組の放送チャンネル、放送日時、及び番組名の情報を含むメニュー項目を提示する操作支援画面を生成し、
前記操作支援画面生成手段は、前記関連番組検出手段によって複数の関連番組が検出された場合に、前記複数の関連番組のうち前記録画番組と放送開始時刻が近い関連番組を選択し、当該選択された一つの関連番組の放送チャンネル、放送日時、及び番組名の情報を含むメニュー項目を提示する再生装置。
【請求項６】
記憶媒体に記憶された録画番組を再生手段により再生し、
再生手段による録画番組の再生が停止すると、番組表管理手段により管理されている番組表情報から前記録画番組の関連番組の情報を関連番組検出手段により検出し、
前記検出された関連番組の情報を含むメニュー項目を提示する操作支援画面を生成し、
前記生成された操作支援画面を表示し、
前記操作支援画面上で、前記関連番組の情報を含むメニュー項目が選択されると、前記関連番組を含む番組表を表示し、
前記関連番組検出手段によって前記録画番組の関連番組が検出されない場合、前記操作支援画面は、前記関連番組の放送チャンネル、放送日時、及び番組名の情報を含むメニュー項目を提示し、前記番組表は前記録画番組を含む番組表である番組表表示方法。
【発明の詳細な説明】
【技術分野】
【０００１】
本発明は、再生装置および番組表表示方法に関する。
【背景技術】
【０００２】
近年、受信した放送信号をデジタルデータに変換して、ハードディスクや光ディスク等の記憶媒体に記憶し、必要に応じて再生する情報記録再生装置が開発されている。このような情報記録再生装置では、放送信号から、あるいはネットワークから電子番組表データを取得し、利用することが可能である。
【０００３】
電子番組表を利用して、所定日数前（例えば、１週間前や１日前）に視聴した番組と同じ番組を自動選局する受信装置が、特許文献１に記載されている。この受信装置では、現在放送中の番組のチャンネル及び番組名と、所定日数前の現在時刻と同時刻に視聴した番組のチャンネル及び番組名とが同一である場合に、自動選局の指示操作が有効化される。そして、リモコンに備えられた先週キーが押されると、先週における現在時刻と同じ時刻に視聴していた番組の放送局（チャンネル）に自動的に選局される。
【特許文献１】特開２００５−２９５３８６号公報（段落００３６、第４図）
【発明の開示】
【発明が解決しようとする課題】
【０００４】
特許文献１に記載された受信装置では、先週と同じ放送局が自動的に選局され、先週の続きの番組を視聴することが可能となる。しかしながら、視聴された番組の関連番組の情報をユーザに提示したり、関連する番組編成の情報をユーザに提示したりすることはできない。
【０００５】
本発明は、前記のような問題に鑑みなされたもので、再生された番組に関連する情報を提示することが可能になる再生装置および番組表表示方法を提供することを目的とする。
【課題を解決するための手段】
【０００６】
本発明の一実施形態に係る再生装置は、記憶媒体に記憶された録画番組を再生する再生手段と、番組表情報を管理する番組表管理手段と、前記再生手段による録画番組の再生が停止すると、前記番組表情報から前記録画番組の関連番組の情報を検出する関連番組検出手段と、前記関連番組の情報を含むメニュー項目を提示する操作支援画面を生成する操作支援画面生成手段と、前記操作支援画面生成手段によって生成された操作支援画面を表示する支援画面表示手段と、前記操作支援画面上で、前記関連番組の情報を含むメニュー項目が選択されると、前記関連番組を含む番組表を表示する番組表表示手段と、を備え、前記関連番組検出手段によって前記録画番組の関連番組が検出されない場合、前記操作支援画面生成手段は、前記録画番組の放送チャンネル、放送曜日、放送開始時刻の情報を含むメニュー項目を提示する操作支援画面を生成し、前記番組表表示手段は前記録画番組を含む番組表を表示する。
本発明の他の実施形態に係る番組表表示方法は、記憶媒体に記憶された録画番組を再生手段により再生し、再生手段による録画番組の再生が停止すると、番組表管理手段により管理されている番組表情報から前記録画番組の関連番組の情報を関連番組検出手段により検出し、前記検出された関連番組の情報を含むメニュー項目を提示する操作支援画面を生成し、前記生成された操作支援画面を表示し、前記操作支援画面上で、前記関連番組の情報を含むメニュー項目が選択されると、前記関連番組を含む番組表を表示し、前記関連番
組検出手段によって前記録画番組の関連番組が検出されない場合、前記操作支援画面は、前記関連番組の放送チャンネル、放送日時、及び番組名の情報を含むメニュー項目を提示し、前記番組表は前記録画番組を含む番組表である。
【発明の効果】
【０００７】
本発明の再生装置によれば、関連番組検出手段によって検出された関連番組の情報を含むメニュー項目を提示する操作支援画面が操作支援画面生成手段によって生成され、生成された操作支援画面が表示手段によって表示されるので、再生された番組に関連する情報を提示することができる。
【発明を実施するための最良の形態】
【０００８】
以下、図面を参照してこの発明の実施形態を説明する。
【０００９】
図１は、本発明の一実施形態に係る情報記録再生装置（番組再生装置）の概略構成を示すブロック図である。
【００１０】
図１の記録再生装置は、マイクロコンピュータブロック３０、エンコーダ部５０、デコーダ部６０を備えている。
【００１１】
マイクロコンピュータブロック３０は、図示しないＭＰＵ（マイクロプロセッシングユニット）、またはＣＰＵ（セントラルプロセッシングユニット）を有し、記録再生装置の各ブロックの動作を制御する。マイクロコンピュータブロック３０は、制御プログラム等が書きこまれたＲＯＭ、プログラム実行に必要なワークエリアを提供するためのＲＡＭ等を備えている。
【００１２】
マイクロコンピュータブロック３０は、再生制御部３１１、記録制御部３１２、予約録画制御部３１３を有する。再生制御部３１１は、受信した放送番組データや記憶媒体に記憶された番組データの再生処理を制御する。記録制御部３１２は、番組データの記憶媒体への記録処理を制御する。予約録画制御部３１３は、番組の予約録画処理の制御を行う。また、マイクロコンピュータブロック３０は、後述する番組情報管理部３２１、録画番組情報管理部３２２、関連番組検出部３２３、操作支援画面生成部３２４、画面表示制御部３２５も備えている。このマイクロコンピュータブロック３０は、ネットワークインターフェース３０ａを介して外部ネットワーク（ＮＴ）に接続することも可能である。
【００１３】
マイクロコンピュータブロック３０には、この記憶再生装置を操作するための操作信号が、キー入力部４４から入力される。このキー入力部４４は、例えば記録再生装置の本体上に設けた操作スイッチ類、あるいはリモートコントローラ等である。有線通信、無線通信、光通信あるいは赤外線通信等によってこの記録再生装置に接続されるパーソナルコンピュータが、キー入力部４４として採用されてもよい。ユーザはこのキー入力部４４を操作して、受信もしくは入力された映像信号や音声信号の記録処理、記憶媒体に記憶されたコンテンツの再生処理、あるいは記憶媒体に記憶されたコンテンツに対する編集処理等の実行を指示することができる。
【００１４】
マイクロコンピュータブロック３０のＭＰＵ（またはＣＰＵ）の実行結果のうち、ユーザに通知すべき内容は、表示部４３に表示されるか、またはモニターディスプレイ３００１にＯＳＤ（オンスクリーンディスプレイ）表示される。
【００１５】
図１に示す情報記憶再生装置は、記憶媒体（情報記憶媒体）としてＤＶＤ−ＲＡＭ、ＤＶＤ±ＲＷ、ＤＶＤ±Ｒ、ＤＶＤ−ＲＯＭ（ＤＶＤビデオ）、ＣＤ−ＲＷ、ＣＤ−Ｒ、ＣＤ−ＲＯＭ（音楽ＣＤ）などの光ディスクとハードディスクの双方を取り扱うことができる。これらのハードディスクや光ディスクは、半導体メモリ等の他の記憶媒体と置換（あるいは併用）されてもよい。
【００１６】
この記録再生装置は、光ディスクドライブ部１００２と、ハードディスクドライブ部２００１の２種類のディスクドライブ部を有する。光ディスクドライブ部１００２は、光ディスク１００１に対する回転制御系、レーザ駆動系、光学系などを有し、光ディスク１００１を回転駆動して情報の読み書きを行う。またハードディスクドライブ部２００１は、ハードディスクを駆動し、情報の読み書きを実行する。
【００１７】
データプロセッサ部１００３は、バッファ回路、変調・復調回路、エラー訂正部等を備えており、所定の記録単位または再生単位のデータを取り扱う。データプロセッサ部１００３は、光ディスクドライブ部１００２及びハードディスクドライブ部２００１に記録データを供給する。また、データプロセッサ部１００３は、光ディスクドライブ部１００２及びハードディスクドライブ部２００１により読み出された再生データを受け取る。
【００１８】
データプロセッサ部１００３は、記憶媒体に記憶されている番組データを構成するビデオオブジェクトの一部を削除したり、異なる複数の番組のビデオオブジェクトをつなげたり、といった編集処理を、マイクロコンピュータブロック３０の指示に応じて行うこともできる。
【００１９】
エンコーダ部５０には、ＡＶ入力部４１ａからの外部アナログビデオ信号と外部アナログオーディオ信号、または地上波アナログチューナ４１ｂ、地上波デジタルチューナ４１ｃ、衛星デジタルチューナ４１ｄあるいは衛星アナログチューナ４１ｅからの放送受信信号（１つまたは複数）が選択的に入力する。スイッチ（信号セレクタ）５３は、マイクロコンピュータブロック３０の制御に従って、エンコーダ部５０に入力する信号系統を切り換える。
【００２０】
エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、字幕や絵柄をビットマップデータで表す副映像のエンコーダも適宜含むことができる。
【００２１】
また、エンコーダ部５０は、トランスポートストリーム処理部及び複数のＭＰＥＧエンコーダを含む。エンコーダ部５０に含まれるＭＰＥＧビデオエンコーダは、入力されるデジタルビデオ信号を、ＭＰＥＧ２またはＭＰＥＧ１規格に基づいた可変ビットレートで圧縮し、ハードディスクまたは光ディスクに記録可能なデジタルビデオ信号へ変換する。デジタルオーディオ信号は、ＭＰＥＧまたはＡＣ−３規格に基づいて固定ビットレートで圧縮されたデジタルオーディオ信号、あるいは非圧縮のリニアＰＣＭのデジタルオーディオ信号に変換される。
【００２２】
エンコーダ部５０に、副映像信号がＡＶ入力部４１ａから入力した場合（例えば副映像信号の独立出力端子付ＤＶＤビデオプレーヤからの信号入力など）、あるいは副映像信号が含まれたＤＶＤビデオ信号が、地上波アナログチューナ４１ｂ、地上波デジタルチューナ４１ｃ、衛星デジタルチューナ４１ｄまたは衛星アナログチューナ４１ｅを介してエンコーダ部５０に入力された場合は、エンコーダ部５０に入力した副映像信号は副映像エンコーダでエンコード（ＤＶＤ規格に基づくランレングス符号化）されて副映像のビットマップデータとなる。
【００２３】
フォーマッタ５１は、バッファメモリ５２をワークメモリとして、エンコードされたデジタルビデオ信号、デジタルオーディオ信号、副映像データを所定のフォーマットに変換する。すなわち、フォーマッタ５１は、エンコードされたデジタルビデオ信号、デジタルオーディオ信号、副映像データをパック化して、ビデオパック、オーディオパック、副映像パックとし、さらにこれらを集合して、ＤＶＤビデオ規格で規定されたフォーマット（ＤＶＤ−Ｖｉｄｅｏフォーマット）や、ＤＶＤ-レコーディング規格で規定されたフォーマット（ＤＶＤ−ＶＲフォーマット）に変換する。ただしデジタル放送のトランスポートストリーム（ＭＰＥＧ２−ＴＳ）をストリーム記録する場合には、フォーマット変換は必要ない。
【００２４】
なお、圧縮された（エンコード済みの）デジタルビデオ信号やデジタルオーディオ信号が、エンコーダ部５０に直接入力される場合は、エンコード処理を行わずに、入力信号を直接フォーマッタ５１に供給することもできる。また、エンコーダ部５０は、デジタル変換されたデジタルビデオ信号やデジタルオーディオ信号を、ビデオミキシング部７１やオーディオセレクタ７６に直接供給することもできる。
【００２５】
フォーマッタ５１によってフォーマット変換された情報（ビデオ、オーディオ、副映像データなどのパック）は、データプロセッサ部１００３を介してハードディスクドライブ部２００１および／または光ディスクドライブ部１００２に供給され、ハードディスクや光ディスク１００１等の記憶媒体に記録される。また、ハードディスクあるいは光ディスク１００１に記録された情報を、データプロセッサ部１００３、光ディスクドライブ部１００２を介して、光ディスク１００１あるいはハードディスクに記録することもできる。
【００２６】
記憶媒体に情報を記録する場合、フォーマッタ５１は、切り分け情報を作成して定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などが含まれる。
【００２７】
また、記憶媒体に情報を記録する際には、マイクロコンピュータブロック３０のＭＰＵは、当該記録される情報を再生するのに必要な管理情報を作成する。ＭＰＵは、記録終了のコマンドを認識すると、作成した管理情報をデータプロセッサ部１００３に送る。これにより、管理情報が記憶媒体に記録される。
【００２８】
記憶媒体に記憶された録画番組を途切れることなく再生するために、データプロセッサ部１００３がアクセス（シーク）する録画番組データの最低限連続する情報単位（サイズ）が予め決められている。この情報単位の記憶エリアをＣＤＡ（コンティギュアス・データ・エリア）という。ＣＤＡサイズは、ＥＣＣ（エラー訂正コード）ブロック（１６セクタ）の倍数であり、データの記憶はこのＣＤＡ単位で行われる。データプロセッサ部１００３は、エンコーダ部５０からＶＯＢＵ単位のデータを受け取り、ＣＤＡ単位のデータを光ディスクドライブ部１００２あるいはハードディスクドライブ部２００１に供給する。
【００２９】
エンコーダ部５０が、例えば２つのＭＰＥＧエンコーダを含む場合、エンコーダ部５０は２系統の信号をエンコード処理することが可能である。例えば、地上波アナログチューナ４１ｂで受信した番組をハードディスクドライブ部２００１でＤＶＤ−ＶＲ録画し、同時に、衛星アナログチューナ４１ｅで受信した番組を光ディスク１００１でＤＶＤ−ＶＲ録画するといった処理を行うことができる。
【００３０】
また、トランスポートストリームから抽出したパケットエレメンタリーストリームがエンコーダ部５０から直接ハードディスクドライブ部２００１のハードディスクに記録される場合もある。エンコーダ部５０が１つのＭＰＥＧエンコーダしか持たない場合でも、地上波デジタルチューナ４１ｃまたは衛星デジタルチューナ４１ｄを介してエンコーダ部５０に入力された番組データ（ＭＰＥＧ２−ＴＳ）をハードディスクドライブ部２００１でストリーム記録し、同時に、他のチューナを介して入力される放送番組データを、この１つのＭＰＥＧエンコーダによってエンコード処理することも可能である。
【００３１】
デコーダ部６０は、図示しないセパレータ、ビデオデコーダ、副映像デコーダ、オーディオデコーダ、ビデオプロセッサを備えている。セパレータは、パック構造を持つＤＶＤフォーマットの信号から各パックを分離して取り出す。ビデオデコーダは、セパレータによって分離された主映像データ（ビデオパックの内容）のデコード処理を行う。副映像デコーダは、セパレータによって分離された副映像データ（副映像パックの内容）のデコードを行う。セパレータによって分離されたオーディオデータ（オーディオパックの内容）はオーディオデコーダによってデコードされる。ビデオプロセッサは、デコードされた主映像にデコードされた副映像を適宜合成し、主映像にメニュー、ハイライトボタン、字幕やその他の副映像を重ねて出力する。デコーダ部６０はさらに、パック分離やその他の信号処理実行時に使用されるメモリを有する。
【００３２】
デコーダ部６０から出力されるビデオ信号は、ビデオミキシング部７１に入力される。ビデオミキシング部７１は、例えばテキストデータの合成を行う。またビデオミキシング部７１には、ＡＶ入力部４１aや地上波アナログチューナ４１ｂ、地上波デジタルチューナ４１ｃ、衛星デジタルチューナ４１ｄ、衛星アナログチューナ４１ｅからの信号を直接取り込むラインもまた接続されている。ビデオミキシング部７１には、バッファとして用いるフレームメモリ７２が接続されている。ビデオミキシング部７１から出力されるビデオ信号は、Ｉ／Ｆ（インタフェース）７３を介して外部出力される。あるいは、ビデオミキシング部７１から出力されるビデオ信号は、デジタルアナログ変換器７４によってアナログ変換され、モニターディスプレイ３００１に出力される。
【００３３】
デコーダ部６０から出力されるオーディオ信号は、セレクタ７６を介してデジタルアナログ変換器７７に入力する。デジタルアナログ変換器７７は、デジタルオーディオ信号をアナログ変換し、外部（例えばスピーカ）に出力する。セレクタ７６は、マイクロコンピュータブロック３０からのセレクト信号により制御され、チューナ４１ｂ〜４１ｅやＡＶ入力部４１aからのデジタル信号を直接モニタする時、エンコーダ部５０をスルーした信号を直接選択することも可能である。
【００３４】
なお、マイクロコンピュータブロック３０は、ＳＴＣ（システムタイムクロック）３８からの時間データに基づいて、光ディスクドライブ部１００２、ハードディスクドライブ部２００１、データプロセッサ部１００３、エンコーダ部５０、デコーダ部６０などを制御する。録画や再生の動作は、通常はＳＴＣ３８からのタイムクロックに同期して実行されるが、それ以外の処理はＳＴＣ３８とは独立したタイミングで実行されてもよい。
【００３５】
マイクロコンピュータブロック３０は、地上波アナログ放送の電子番組サービス（東京地区ではＡＤＡＭＳ：TV-Asahi Data and Multimedia Service）あるいは地上波／衛星デジタル放送の電子ガイド情報／電子番組ガイド（ＥＰＧ）サービスを利用して、電子番組表情報（放送番組だけでなく種々な情報サービスも含む）を取得することができる。また、ネットワークを介して外部のサーバから電子番組案内情報（ＤＥＰＧ）を取り込むことも可能である。
【００３６】
取得された電子番組表情報（電子番組案内情報）は、番組情報管理部３２１によって管理される。番組情報管理部３２１は、マイクロコンピュータブロック３０が有するＲＯＭに、図２に示すような番組情報管理テーブルを設けて、電子番組表情報を管理する。図２の例では、放送番組ごとに「チャンネル」、「放送日」、「放送開始時刻」、「番組長」、「番組名」等のデータが記憶されている。また、ユーザが録画予約を行った番組には、「予約済み」属性が付与されている。番組情報管理部３２１は、毎日決まった時間、あるいは毎週決まった曜日の決まった時間に放送されるシリーズものの番組等、関連性のある番組については、「シリーズ名」等の関連性を示す情報も管理する。放送曜日や放送時間帯が異なっても、同じシリーズに属する番組には同じシリーズ名が付されている。番組情報管理部３２１は通常、所定期間（例えば１週間）分の電子番組表情報を管理する。
【００３７】
ハードディスクや光ディスク等の記憶媒体に記録された録画済み番組（録画コンテンツ）の情報は、録画番組情報管理部３２２によって管理される。録画番組情報管理部３２２は、マイクロコンピュータブロック３０が有するＲＯＭに、図３に示すような録画済み番組情報テーブルを設けて、録画済み番組の情報を管理する。図３の例では、録画済み番組の「番組名」、「録画品質」、「録画長」、「チャンネル」、「番組放送日」、「放送開始時刻」、「視聴情報」、「シリーズ名」等のデータが記憶されている。図３は、ハードディスクに録画された番組の情報を管理するための録画済み番組情報テーブルである。録画済み番組情報テーブルを記憶媒体ごとに設け、記憶媒体ごとに録画済み番組情報を管理してもよいが、複数の記憶媒体に録画された番組の情報を一つの録画済み番組情報テーブルに記憶し、一括して管理するようにしてもよい。
【００３８】
ハードディスク等の記憶媒体に記録されている録画番組の再生処理が停止すると、関連番組検出部３２３は、当該再生が停止した番組のシリーズ名に基づいて、この番組に関連する番組の情報を、図２の番組情報管理テーブル及び図３の録画済み番組情報テーブルから検出する。
【００３９】
操作支援画面生成部３２４は、関連番組検出部３２３が検出した関連番組情報に基づいて、ユーザが次に行う操作を支援するためのメニュー画面Ｄの画面データを生成する。
【００４０】
画面表示制御部３２５は、操作支援画面生成部３２４が生成したメニュー画面Ｄをモニターディスプレイ３００１に表示させる（図４参照）。メニュー画面Ｄには、「次の番組の再生」、「関連番組の録画予約」、「番組表へのジャンプ」、「再生停止した番組のゴミ箱フォルダへの移動」等のメニュー項目が含まれる。
【００４１】
例えば「ブジＴＶ」で「１０／３（水）２２：００」から放送された「水１０のおんな＃１」という録画番組の再生が停止した場合には、関連番組検出部３２３は、「水１０のおんな＃１」と同じシリーズ名の番組の検出を行う。録画済番組情報テーブル（図３参照）からは「水１０のおんな＃１」に関連し、すでに記憶媒体に録画されている番組（同シリーズの「水１０のおんな＃２」）が検出され、番組情報管理テーブル（図２参照）からは「水１０のおんな＃１」に関連し、放送が予定されている番組（同シリーズの「水１０のおんな＃３」）が検出される。
【００４２】
そして操作支援画面生成部３２４は、関連番組検出部３２３による検出結果に基づいてメニュー画面データを生成する。すなわち、操作支援画面生成部３２４は、上述の「次の番組の再生」項目として「“水１０のおんな＃２”を再生」というメニュー文言を、「関連番組の録画予約」項目として「“水１０のおんな＃３”を予約」というメニュー文言を、「再生停止した番組のゴミ箱フォルダへの移動」項目として「“水１０のおんな＃１”をゴミ箱へ」というメニュー文言を含むメニュー画面データを生成する。「番組表へのジャンプ」の項目に対応するメニュー文言「“ブジＴＶ  水曜  ２２：００  水１０のおんな＃３”へジャンプ」は、後述するメニュー文言生成処理によって決定される。
【００４３】
画面表示制御部３２５は、操作支援画面生成部３２４が生成したメニュー画面データに基づいて、図４に示すようなメニュー画面Ｄをモニターディスプレイ３００１に表示させる。メニュー画面Ｄを初期表示する際に、所定の項目を強調表示するようにしてもよい。
【００４４】
ここで、図４のメニュー画面Ｄにおいて、強調表示されている「番組表へのジャンプ」項目「“ブジＴＶ  水曜  ２２：００  水１０のおんな＃３”へジャンプ」の文言は、以下のメニュー文言生成処理によって決定される。
【００４５】
図５は、記録再生装置の本実施形態によるメニュー文言生成処理のフローチャートである。図６は、メニュー文言生成処理によって生成されるメニュー文言のリストを示す図である。
【００４６】
録画番組の再生が停止して、メニュー文言生成処理が開始されると、関連番組検出部３２３は、再生停止した番組（処理対象番組）の「チャンネル」、「放送日」、「放送開始時刻」、「番組名」、「シリーズ名」等の情報を録画済み番組情報テーブル（図３参照）から取得する（ブロックＢ１）。
【００４７】
続いて、関連番組検出部３２３は、取得した処理対象番組の「チャンネル」が、番組情報管理テーブルに記憶されている電子番組表に存在するか否かを判断する（ブロックＢ２）。
【００４８】
録画済み番組情報テーブルに格納されたチャンネル情報や、電子番組表のチャンネル情報は、ユーザが任意に編集することが可能である。このため、取得した処理対象番組の「チャンネル」が、番組情報管理テーブルに格納された電子番組表に存在するとは限らない。
【００４９】
関連番組検出部３２３が、処理対象番組の「チャンネル」が電子番組表に存在しないと判断した場合（ブロックＢ２で「ＮＯ」）、操作支援画面生成部３２４は、タイプＣのメニュー文言を生成する（ブロックＢ３）。すなわち、図６に示すように、タイプＣに対応するメニュー文言「“[曜日]  [放送開始時刻]”へジャンプ」が生成される。
【００５０】
例えば、上述の「ブジＴＶ」で「１０／３（水）２２：００」から放送された「水１０のおんな＃１」という番組の再生が停止し、ブロックＢ２で当該「ブジＴＶ」が電子番組表に存在しないと判断された場合（ブロックＢ２で「ＮＯ」）、操作支援画面生成部３２４は、タイプＣのメニュー文言「“水曜  ２２：００”へジャンプ」を生成する。
【００５１】
一方、処理対象番組の「チャンネル」が電子番組表に存在すると、関連番組検出部３２３が判断した場合には（ブロックＢ２で「ＹＥＳ」）、関連番組検出部３２３は、番組情報管理テーブルに記憶された電子番組表から、当該処理対象番組に関連する番組の情報を検索する（ブロックＢ４）。この、処理対象番組に関連する番組とは、例えば、当該処理対象番組と同じシリーズ名の番組である。
【００５２】
関連番組検出部３２３が、電子番組表から当該処理対象番組に関連する番組の情報を検出すると（ブロックＢ５で「ＹＥＳ」）、操作支援画面生成部３２４は、タイプＡのメニュー文言を生成する（ブロックＢ６）。すなわち、図６に示すように、タイプＡに対応するメニュー文言「“[チャンネル]  [曜日]  [放送開始時刻]  [関連番組の番組名]”へジャンプ」が生成される。
【００５３】
例えば、上述の「ブジＴＶ」で「１０／３（水）２２：００」から放送された「水１０のおんな＃１」という番組の再生が停止し、電子番組表から「１０／１７（水）２２：００」から放送予定の「水１０のおんな＃３」という関連番組が検出された場合（ブロックＢ５で「ＹＥＳ」）、操作支援画面生成部３２４は、タイプＡのメニュー文言「“ブジＴＶ  水曜  ２２：００  水１０のおんな＃３”へジャンプ」を生成する。
【００５４】
関連番組検出部３２３が、電子番組表から処理対象番組の関連番組を複数検出した場合には、タイプＡのメニュー文言に取り入れられる関連番組が一つ選択される必要がある。この場合、例えば処理対象番組の放送時間帯と近い時間帯に放送が予定されている関連番組を優先的に選択する、放送予定が同時間帯の番組同士であれば、放送予定日の曜日が処理対象番組の放送曜日に近い番組が優先的に選択される、という選択規則が予め与えられている。
【００５５】
なお、この選択規則は、上述の例に限らず、放送開始日時が一番早いものが選択されてもよいし、処理対象番組の続きの回の放送が優先的に選択されるようにしてもよい。選択規則をユーザが任意に設定できるようにしてもよい。
【００５６】
一方、処理対象番組に関連する番組の情報が、電子番組表から検出されない場合は（ブロックＢ５で「ＮＯ」）、操作支援画面生成部３２４は、タイプＢのメニュー文言を生成する（ブロックＢ７）。すなわち、図６に示すように、タイプＢに対応するメニュー文言「“[チャンネル]  [曜日]  [放送開始時刻]”へジャンプ」が生成される。
【００５７】
例えば、上述の「ブジＴＶ」で「１０／３（水）２２：００」から放送された「水１０のおんな＃１」という番組の再生が停止し、電子番組表から関連番組が検出されなかった場合（ブロックＢ５で「ＮＯ」）、操作支援画面生成部３２４は、タイプＢのメニュー文言「“ブジＴＶ  水曜  ２２：００”へジャンプ」を生成する。
【００５８】
以上のようにして操作支援画面生成部３２４がタイプＡ〜Ｃのいずれかのメニュー文言を生成すると、画面表示制御部３２５は生成されたメニュー文言を含むメニュー画面Ｄをモニターディスプレイ３００１に表示させる。
【００５９】
ユーザは、メニュー画面Ｄに含まれるメニュー文言を参照して、再生を停止した録画番組（処理対象番組）の関連番組の情報が電子番組表に含まれているか否か、また当該処理対象番組のチャンネルが電子番組表に設定されているか否かを確認することができる。
【００６０】
「チャンネル」、「曜日」、「放送開始時刻」、「関連番組の番組名」の全ての情報を含むメニュー文言Ａが表示されると、再生を停止した番組の関連番組の放送予定をユーザに知らせることができる。ユーザは、メニュー文言Ａの表示を参照して、関連番組の放送開始時刻やタイトル情報等を確認することができる。
【００６１】
また、「関連番組の番組名」を含まないタイプＢのメニュー文言の表示によって、処理対象番組に関連する番組の放送が、番組情報管理部３２１が管理する所定期間（例えば１週間）分の電子番組表では予定されていないことを、ユーザに知らせることができる。従って、番組編成に変更があった場合でも、ユーザは容易に変更に気付くことができる。
【００６２】
タイプＣのメニュー文言が表示された場合には、ユーザは、録画済み番組情報テーブルに格納されたチャンネル情報や、電子番組表のチャンネル情報が編集されていることに気付くことができる。
【００６３】
モニターディスプレイ３００１にメニュー画面Ｄが表示されると、ユーザは、キー入力部４４を操作して、メニュー画面Ｄに含まれるいずれかのメニュー項目を選択することができる。
【００６４】
次に、ユーザがいずれかのメニュー項目を選択した場合に行われる記録再生装置の動作について説明する。
【００６５】
ユーザが、「次の番組の再生」項目（図４の例では「“水１０のおんな＃２”を再生」）を選択した場合、再生制御部３１１は、選択された番組の再生処理を行う。また、「関連番組の録画予約」項目（図４の例では「“水１０のおんな＃３”を予約」）が選択された場合には、予約録画制御部３１３が、選択された番組の録画予約処理を行う。「再生停止した番組のゴミ箱フォルダへの移動」の項目（図４の例では「“水１０のおんな＃１”をゴミ箱へ」）が選択された場合には、記録制御部３１２は、当該再生停止した番組のデータを、所定のゴミ箱フォルダに移動する。
【００６６】
ユーザが「番組表へのジャンプ」のメニュー項目（図４の例ではタイプＡのメニュー文言「“ブジＴＶ  水曜  ２２：００  水１０のおんな＃３”へジャンプ」）を選択した場合には、画面表示制御部３２５は、以下の番組表表示処理に従って、モニターディスプレイ３００１に番組表を表示させる。
【００６７】
図７は、記録再生装置の本実施形態による番組表表示処理のフローチャートである。
【００６８】
ユーザが「番組表へのジャンプ」のメニュー項目を選択し、番組表表示処理が開始すると、「番組表へのジャンプ」項目のメニュー文言がタイプＣであるか否かが判断される（ブロックＣ１）。
【００６９】
メニュー文言がタイプＣではなく、タイプＡまたはタイプＢである場合には（ブロックＣ１で「ＮＯ」）、画面表示制御部３２５は、モニターディスプレイ３００１に単一チャンネル形式で電子番組表を表示させる。
【００７０】
図８は、モニターディスプレイ３００１に表示される単一チャンネル形式の電子番組表の一例を示す図である。図８の例は、再生を停止した録画番組（処理対象番組）に関連する番組（同じシリーズの番組）が、電子番組表に存在する場合（タイプＡの場合）、の番組表表示例を示す。
【００７１】
図８に示すように、画面表示制御部３２５は、再生が停止された処理対象番組の「チャンネル」、「放送日」及び「放送開始時刻」の情報に基づき、当該処理対象番組と同じチャンネルの同時間帯の所定期間（ここでは１週間）分の番組表を、モニターディスプレイ３００１に表示させる。この際、処理対象番組と同じシリーズの番組を枠で囲うなどして強調表示されるようにしてもよい。あるいは、当該処理対象番組の放送と同じ曜日で、同じ放送開始時刻の番組が強調表示されるようにしてもよい。モニターディスプレイ３００１に表示される電子番組表によって、ユーザは、関連番組の放送予定を確認することができる。
【００７２】
また、処理対象番組の関連番組が電子番組表に存在しない場合（タイプＢの場合）であっても、画面表示制御部３２５は同様に、再生が停止された処理対象番組の「チャンネル」、「放送日」及び「放送開始時刻」情報に基づき、当該番組と同じチャンネルの同時間帯の所定期間分の番組表を、モニターディスプレイ３００１に表示させる。
【００７３】
例えば、１０／１７（水）の２２：００から放送される番組が「水１０のおんな＃３」から「特別番組  ２時間スペシャル」に変更になった場合には、モニターディスプレイ３００１には図９に示すような番組表が表示される。従って、ユーザは、モニターディスプレイ３００１の表示によって、放送予定の変更（「水１０のおんな＃３」から「特別番組  ２時間スペシャル」への番組変更）を確認することができる。ここで、当該処理対象番組の放送と同じ曜日で、同じ放送開始時刻の番組が強調表示されるようにしてもよい。
【００７４】
一方、「番組表へのジャンプ」項目のメニュー文言のタイプがタイプＣであると判断された場合には（ブロックＣ１で「ＹＥＳ」）、画面表示制御部３２５は、モニターディスプレイ３００１に複数チャンネル形式で電子番組表を表示させる（ブロックＣ３）。
【００７５】
図１０は、モニターディスプレイ３００１に表示される複数チャンネル形式の電子番組表の一例を示す図である。図１０の例は、処理対象番組のチャンネル「ブジＴＶ」が、電子番組表に設定されていない場合の番組表表示例を示す。
【００７６】
図１０に示すように、画面表示制御部３２５は、再生が停止された処理対象番組の「放送日」及び「放送開始時刻」情報に基づき、当該処理対象番組と同じ曜日の同じ放送時間帯の複数チャンネル分の番組表を、モニターディスプレイ３００１に表示させる。このとき、処理対象番組の放送と同じ放送開始時刻の、いずれかのチャンネル（例えば前回の番組表表示時のカレントチャンネルや、直近の放送番組視聴時に選択されていたチャンネル）の番組が強調表示されるようにしてもよい。モニターディスプレイ３００１の表示によって、ユーザは、処理対象番組のチャンネルが番組表に設定されていない（含まれていない）ことを確認できる。また、処理対象番組の関連番組が、処理対象番組と同じ曜日の同じ放送時間帯に、別のチャンネルで放送される予定である場合には、ユーザは表示された番組表を参照して、この別のチャンネルで放送される関連番組に気付くことができる。
【００７７】
以上のように、ユーザがメニュー画面Ｄから「番組表へのジャンプ」の項目を選択すると、図７に示す番組表表示処理によって、関連番組周辺の番組表にジャンプすることができる。このため、ユーザは番組放送の編成を確認することができる。また、以下で説明する図１１、図１２及び図１３の番組表に示すような放送番組編成が行われた場合に、ユーザは、本実施形態による番組表表示処理によって表示された番組表を使い勝手よく利用できる。
【００７８】
図１１の電子番組表は放送番組編成の一例を示し、ユーザが、図４に示すメニュー画面Ｄから、メニュー項目「“ブジＴＶ  水曜  ２２：００  水１０のおんな＃３”へジャンプ」を選択するとモニターディスプレイ３００１に表示される。
【００７９】
図１１の番組表が示す番組編成では、「水１０のおんな＃３」という番組の直後に、同じシリーズの次の放送回である「水１０のおんな＃４」の放送が予定されている。
【００８０】
ユーザは、メニュー画面Ｄで「番組表へのジャンプ」の項目を選択するだけで、この番組表を表示させることができる。そして、この番組表によって、「水１０のおんな＃３」だけではなく、「水１０のおんな＃４」の放送予定をも確認することができる。さらに、「水１０のおんな＃３」の録画予約に加えて、「水１０のおんな＃４」の録画も同時に予約設定することも可能となり、使い勝手が向上する。
【００８１】
図１２の電子番組表が示す番組編成では、１０／１７（水）の２２：００からの「水１０のおんな＃３」の放送予定に加えて、１０／１５（月）の２０：００から「水１０のおんな＃２」の再放送が、１０／１９（金）の２３：００から「水１０のおんな＃３」の再放送がそれぞれ予定されている。
【００８２】
ユーザは、メニュー画面Ｄで「番組表へのジャンプ」の項目を選択するだけで、番組表上で再放送の予定も確認することができる。このため、ユーザは、１０／１７（水）の２２：００からの放送と１０／１９（金）の２３：００からの再放送とどちらを録画予約するかを、他の録画予約との重複を考慮して選択することができる。シリーズ番組の再放送は、本放送の放送時間帯と同時間帯に行われることが多いため、本実施形態のように、再生停止番組と同じチャンネルの同時間帯の番組表を表示させると、ユーザが再放送の予定に気付きやすい。
【００８３】
また、図１３は、１０／１７（水）の２２：００から放送される番組が「水１０のおんな＃３」から「特別番組  ２時間スペシャル」に変更された場合に表示される電子番組表の一例を示す。図１３の例では、「水１０のおんな＃３」の放送開始日時が１０／１７（水）の２２：００から１０／１９（金）の２３：００からに変更されている。更に１０／１９（金）の２３：００から「水１０のおんな＃３」の再放送が予定されている。
【００８４】
ユーザは、メニュー画面Ｄで「番組表へのジャンプ」の項目を選択するだけで、このような番組編成の変更も簡単に確認することができる。また、図１３の番組表を参照して、「水１０のおんな＃３」の本放送と再放送のどちらの録画を予約するかを選択することが可能となる。
【００８５】
以上説明したように、本実施形態によれば、記憶媒体に記憶されている録画番組（処理対象番組）の再生が停止すると、図４に示すようなメニュー画面Ｄがモニターディスプレイ３００１に表示される。メニュー画面Ｄに含まれるメニュー項目のうち、「番組表へのジャンプ」の項目に対応するメニュー文言は、図５のメニュー文言生成処理によって決定される。メニュー文言生成処理では、再生が停止した処理対象番組の関連番組が番組表に存在する場合には、当該関連番組の「チャンネル」、「曜日」、「放送開始時刻」、「番組名」を含むメニュー文言（タイプＡ）が生成される。また、番組表に関連番組が存在しない場合には、再生が停止した番組の「チャンネル」、「曜日」、「放送開始時刻」を含むメニュー文言（タイプＢ）が生成される。さらに、再生が停止した番組と同じチャンネルが番組表に設定されていない場合には、再生が停止した番組の「曜日」「放送開始時刻」を含むメニュー文言（タイプＣ）が生成される。
【００８６】
ユーザは、処理対象番組の関連番組が番組表に存在するかどうかを、メニュー画面Ｄの表示によって知ることが可能となり、番組編成の変更に気付くこともできる。また、処理対象番組と同じチャンネルが番組表に設定されているかどうかも、メニュー画面Ｄの表示によって知ることが可能となる。
【００８７】
さらに、ユーザがメニュー画面Ｄ上で上述の「番組表へのジャンプ」のメニュー項目を選択すると、図７の番組表表示処理によって、「番組表へのジャンプ」項目のメニュー文言に応じた形式の電子番組表がモニターディスプレイ３００１に表示される。処理対象番組と同じチャンネルが番組表に含まれていない場合（タイプＣ）には、複数チャンネル形式で電子番組表が表示される。ユーザは、表示された電子番組表を見て、この処理対象番組の放送チャンネルを確認しなおすことができる。また、処理対象番組と同じチャンネルが番組表に設定されている場合（タイプＡまたはＢ）には、この処理対象番組と同じチャンネルの番組表が単一チャンネル形式で表示され、ユーザは番組編成を確認することができる。表示された番組表に、処理対象番組の関連番組の情報が含まれていない場合（タイプＢ）、ユーザは、表示された番組表を参照して、番組編成の変更に気付くことができる。また、処理対象番組の関連番組が電子番組表に存在する場合（タイプＡ）には、この関連番組周辺の番組表が表示される。従って、ユーザは、関連番組周辺の放送予定も考慮して、録画予約等の設定を行うことができる。
【００８８】
また、上述の説明では、シリーズ名が同じ番組を関連する番組であるとしたが、関連性は、シリーズ名以外の属性によって判断されてもよい。例えば、番組情報管理部３２１が管理する番組情報管理テーブルに番組ごとの「ジャンル」、「出演者」等の情報が記憶されているような場合は、これらの「ジャンル」、「出演者」情報等に基づいて、関連性が判断されてもよい。
【００８９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９０】
【図１】本発明の実施形態に係る情報記録再生装置（番組再生装置）の概略構成を示すブロック図。
【図２】電子番組表情報を管理するための番組情報管理テーブルを示す図。
【図３】録画済み番組の情報を管理するための録画済み番組情報テーブルを示す図。
【図４】モニターディスプレイに表示されるメニュー画面の一例を示す図。
【図５】メニュー文言生成処理のフローチャート。
【図６】図５のメニュー文言生成処理によって生成されるメニュー文言のリストを示す図。
【図７】番組表表示処理のフローチャート。
【図８】単一チャンネル形式で表示される電子番組表の一例を示す図。
【図９】単一チャンネル形式で表示される電子番組表の他の一例を示す図。
【図１０】複数チャンネル形式で表示される電子番組表の一例を示す図。
【図１１】放送番組編成の一例を示す図。
【図１２】放送番組編成の他の一例を示す図。
【図１３】放送番組編成のさらに他の一例を示す図。
【符号の説明】
【００９１】
１００１…光ディスク、１００２…光ディスクドライブ部、１００３…データプロセッサ部、２００１…ハードディスクドライブ部、３０…マイクロコンピュータブロック、４１ａ…ＡＶ入力部、４１ｂ…地上波アナログチューナ、４１ｃ…地上波デジタルチューナ、４１ｄ…衛星デジタルチューナ、４１ｅ…衛星アナログチューナ、５０…エンコーダ部、６０…デコーダ部、３１１…再生制御部、３１２…記録制御部、３１３…予約録画制御部、３２１…番組情報管理部、３２２…録画番組情報管理部、３２３・・・関連番組検出部、３２４…操作支援画面生成部、３２５…画面表示制御部、３００１…モニターディスプレイ。
【図１】
0005049741.tif 000002
【図２】
0005049741.tif 000003
【図３】
0005049741.tif 000004
【図４】
0005049741.tif 000005
【図５】
0005049741.tif 000006
【図６】
0005049741.tif 000007
【図７】
0005049741.tif 000008
【図８】
0005049741.tif 000009
【図９】
0005049741.tif 000010
【図１０】
0005049741.tif 000011
【図１１】
0005049741.tif 000012
【図１２】
0005049741.tif 000013
【図１３】
0005049741.tif 000014